(57)【要約】      （修正有）【課題】建物の外側に張設する養生シートの開閉作業を容易にする。【解決手段】建物２の外側に、複数の養生シート２３ａ，２３ｂを建物の左右方向に配置するとともに、その養生シートの左右の側端部を、垂設したガイド部材１５ａ，１５ｂに昇降可能に係合して、養生シートを昇降するようにしたことを特徴とする養生シートの開閉装置。【選択図】図１
2010159617.tif 000002
【特許請求の範囲】
【請求項１】
建物の外側に、養生シートを建物の左右方向に配置するとともに、その養生シートの左右の側端部を、垂設したガイド部材に昇降可能に係合して、養生シートを昇降するようにしたことを特徴とする養生シートの開閉装置。
【請求項２】
建物の外側に、複数の養生シートを建物の左右方向に配置するとともに、その隣接する相互の養生シートに、該両養生シートの左右の側端部が相互に重合する重合部を設け、各養生シートの左右の側端部を、垂設したガイド部材に昇降可能に係合して、各養生シートを昇降するようにしたことを特徴とする養生シートの開閉装置。
【請求項３】
前記重合部に、該重合部における両養生シートの相互の対向面間を閉塞する閉塞片を設けたことを特徴とする請求項２記載の養生シートの開閉装置。
【請求項４】
前記閉塞片を、前記重合部における両養生シートの相互の対向面側において、一方の養生シートの側端部から、その養生シートの左右方向における中心側へ延びる一方の閉塞片と、他方の養生シートの側端部から、その養生シートの左右方向における中心側へ延びる他方の閉塞片とで構成し、該両閉塞片の先端部を相互に重合させたことを特徴とする請求項３記載の養生シートの開閉装置。
【請求項５】
前記一方の閉塞片の先端部を、他方の閉塞片とその他方の養生シートとの間に挿入したことを特徴とする請求項４記載の養生シートの開閉装置。
【請求項６】
前記両閉塞片の先端部に、これらを分離可能に接合する接合手段を設けたことを特徴とする請求項４又は５記載の養生シートの開閉装置。
【請求項７】
前記隣接する一方の養生シート又は他方の養生シート又は双方の養生シートを、更に左右方向に分割された複数の分割養生シートで構成して１セットの養生シートとし、該分割養生シートにおける相互の隣接側の側端部に、一方の分割養生シートから他方の分割養生シート側へ延びる被覆片を設け、この被覆片を、前記他方の分割養生シートに分離可能に連結し、該１セットの養生シートを一体として昇降するようにしたことを特徴とする請求項１乃至６のいずれか１項に記載の養生シートの開閉装置。
【請求項８】
建物の外部に設置された仮設足場の外側に、前記の養生シート及びガイド部材を設けたことを特徴とする請求項１乃至７のいずれか１項に記載の養生シートの開閉装置。
【請求項９】
建物の外部に作業用ゴンドラの昇降用空間を設け、その外側に、前記の養生シート及びガイド部材を設けたことを特徴とする請求項１乃至７のいずれか１項に記載の養生シートの開閉装置。
【発明の詳細な説明】
【技術分野】
【０００１】
本発明は養生シートの開閉装置に関する。
【背景技術】
【０００２】
従来、ビルやマンション等の建物の外壁面の補修、洗浄、塗装等の外壁工事において、外壁面の外側に仮設足場を組立て、その外側に養生シートを張設して、この養生シートによって仮設足場内での作業で発生する塗料等の外部への飛散を防止している。
【０００３】
このような養生シートの張設手段として、従来、養生シートの両側縁に形成された取付孔と、仮設足場の隣接する支柱とを紐で締結して張設しており、強風時などで養生シートを一時的に畳む必要があるときは、養生シートを、その左右方向における一側端の支柱との締結を外し、他側の支柱に寄せ束ねて紐で結束するものが知られている。
【発明の概要】
【発明が解決しようとする課題】
【０００４】
ところで、養生シートを張設した状態においては、居住者にとって視界が遮られて閉塞感が生じるとともに、室内への日光の照射も妨げられ、更に、外部からの視線も妨げられて防犯上の問題があるなど、住環境が軽視される問題がある。そのため、その日の外壁工事の終了後や外壁工事の休日においては、養生シートを外したい要望がある。
【０００５】
しかし、前記従来の養生シートの張設手段において、その養生シートを外す際には、作業者が仮設足場の各階に移動して一側の支柱からの紐の外し作業と、他側の支柱への紐の締結を個々に行う必要があり、時間と経費が嵩む問題があった。
【０００６】
更に、畳んだ養生シートが支柱の上下方向の全体において存在することから、これが外視されて見栄えも悪く、日光の妨げにもなっていた。
【０００７】
そこで本発明は、前記の問題点を解決する養生シートの開閉装置を提供することを目的とする。
【課題を解決するための手段】
【０００８】
前記の課題を解決するために、請求項１記載の発明は、建物の外側に、養生シートを建物の左右方向に配置するとともに、その養生シートの左右の側端部を、垂設したガイド部材に昇降可能に係合して、養生シートを昇降するようにしたことを特徴とするものである。
【０００９】
請求項２記載の発明は、建物の外側に、複数の養生シートを建物の左右方向に配置するとともに、その隣接する相互の養生シートに、該両養生シートの左右の側端部が相互に重合する重合部を設け、各養生シートの左右の側端部を、垂設したガイド部材に昇降可能に係合して、各養生シートを昇降するようにしたことを特徴とするものである。
【００１０】
請求項３記載の発明は、請求項２記載の発明において、前記重合部に、該重合部における両養生シートの相互の対向面間を閉塞する閉塞片を設けたことを特徴とするものである。
【００１１】
請求項４記載の発明は、請求項３記載の発明において、前記閉塞片を、前記重合部における両養生シートの相互の対向面側において、一方の養生シートの側端部から、その養生シートの左右方向における中心側へ延びる一方の閉塞片と、他方の養生シートの側端部から、その養生シートの左右方向における中心側へ延びる他方の閉塞片とで構成し、該両閉塞片の先端部を相互に重合させたことを特徴とするものである。
【００１２】
請求項５記載の発明は、請求項４記載の発明において、前記一方の閉塞片の先端部を、他方の閉塞片とその他方の養生シートとの間に挿入したことを特徴とするものである。
【００１３】
請求項６記載の発明は、請求項４又は５記載の発明において、前記両閉塞片の先端部に、これらを分離可能に接合する接合手段を設けたことを特徴とするものである。
【００１４】
請求項７記載の発明は、請求項１乃至６のいずれか１項に記載の発明において、前記隣接する一方の養生シート又は他方の養生シート又は双方の養生シートを、更に左右方向に分割された複数の分割養生シートで構成して１セットの養生シートとし、該分割養生シートにおける相互の隣接側の側端部に、一方の分割養生シートから他方の分割養生シート側へ延びる被覆片を設け、この被覆片を、前記他方の分割養生シートに分離可能に連結し、該１セットの養生シートを一体として昇降するようにしたことを特徴とするものである。
【００１５】
請求項８記載の発明は、請求項１乃至７のいずれか１項に記載の発明において、建物の外部に設置された仮設足場の外側に、前記の養生シート及びガイド部材を設けたことを特徴とするものである。
【００１６】
請求項９記載の発明は、請求項１乃至７のいずれか１項に記載の発明において、建物の外部に作業用ゴンドラの昇降用空間を設け、その外側に、前記の養生シート及びガイド部材を設けたことを特徴とするものである。
【発明の効果】
【００１７】
本発明によれば、養生シートを、ガイド部材により昇降可能に設けて昇降させるようにしたことから、養生シートを容易に開閉することができる。更に、養生シートを下降して開放した際には、該養生シートを建物の下方に置くことができることから、従来のような、養生シートが支柱に存在することによる見栄えの悪化や、日光の妨げを起こすこともない。
【００１８】
請求項２記載の発明によれば、更に、隣接する相互の養生シートの側端部を相互に重合させたことにより、塗装作業時に発生した塗料が両養生シート間の隙間を通じて外部へ飛散することを抑制できる。
【００１９】
請求項３及び４記載の発明によれば、閉塞片を設けたことにより、両養生シートの重合部での隙間が閉塞片により閉塞され、塗装作業時に仮設足場で飛散した塗料が前記隙間を通じて外部に飛散することを一層抑制できる。
【００２０】
請求項５記載の発明によれば、前記重合部での隙間をＺ状にし、前記塗料の外部への飛散を更に、より一層抑制できる。
【００２１】
請求項６記載の発明によれば、接合手段を設けて閉塞片を相互に接合したことにより、強風で養生シートが煽られても、両閉塞片の接合を維持し、前記隙間の閉塞を維持することができる。
【００２２】
請求項７記載の発明によれば、複数の分割養生シートを１セットとして昇降する養生シートと、これに隣接する他の養生シートとの間において、前記との同様の効果を発揮することができる。
【００２３】
請求項８記載の発明によれば、更に、仮設足場の外側に養生シートを配置し、これをガイド部材により昇降可能に設けて昇降させるようにしたことから、従来のように、養生シートと支柱を結束する紐を作業者が各階毎に移動して着脱することなく、養生シートを容易に開閉することができる。
【００２４】
請求項９記載の発明によれば、作業用ゴンドラの外側に配置する養生シートにおいて、前記請求項１乃至７の発明と同様の効果を発揮できる。
【図面の簡単な説明】
【００２５】
【図１】本発明における実施例１の養生シート開閉装置を示す正面図。
【図２】図１の側面図。
【図３】図１の内側養生シートと外側養生シートの重合部を示す斜視図で、その支持パイプ２２ｂの左端部は仮想線として、閉塞片２５ａ，２５ｂを実線で示している。
【図４】図１におけるＡ−Ａ線断面図。
【図５】本発明における実施例３の養生シート開閉装置を示す正面図。
【図６】図５における両養生シートの接合部を示す一部拡大正面図。
【図７】図５におけるＢ−Ｂ線断面図。
【図８】本発明における実施例５の養生シート開閉装置を示す側面図。
【発明を実施するための形態】
【００２６】
本発明を実施するための形態を図１乃至図８に示す実施例に基づいて説明する。
【実施例１】
【００２７】
図１乃至図４は本発明の実施例１を示す。
ビルやマンション等の建物の外壁工事を行う際には、図１，２に示すように建物２の外側に作業用の仮設足場５が設置される。この仮設足場５は、一般的に用いられる既製のものを用い、図１，図２に示すように、外側の支柱６と建物２に固設された内側の支柱７と作業床板８とからなり、その支柱６，７は図１に示すように所定の間隔で設置されている。
【００２８】
前記仮設足場５の外側支柱６の上部は、建物２の屋上より上方の位置に突出し、該部には、一方のパイプ（以下内側パイプという）１０が図１における支柱６ａと、該支柱６ａの左の支柱６ｂ間に架設され、他方のパイプ（以下外側パイプという）１１が図１における支柱６ａと、該支柱６ａの右側の支柱６ｂ間に架設され、これらが、建物２の壁面に平行する左右方向（図１においてＸ−Ｘ方向）において交互に複数本設けられている。
【００２９】
前記内側パイプ１０は、図１、図３に示すように、建物２の壁面に向って前後方向（図３においてＹ−Ｙ方向）における支柱６ａ，６ｂの外側に位置して、支持部材であるクランプ１２，１２により支柱６ａ，６ｂに水平姿勢に保持されている。この内側パイプ１０は、支柱６ａと支柱６ｂの設置間隔よりも長尺に形成され、その両端部に支柱６ａ、６ｂ間より左右方向の外側へ所定量突出した突出部１０ａを有している。
【００３０】
更に、前記内側パイプ１０の両突出部１０ａには夫々支持部材１３が固着されている。該支持部材１３，１３は、内側パイプ１０に固着するクランプ１３ａと、このクランプ１３ａの下部に固設された連結板１３ｂとからなり、この両支持部材１３，１３の両連結板１３ｂに一方のガイド部材であるガイドワイヤ（以下内側のガイドワイヤという）１５ａ，１５ａが垂設されている。
【００３１】
前記両内側のガイドワイヤ１５ａの上端は前記支持部材１３で支持され、下端が仮設足場５の下部に設けたシート載置板１６等に固着支持されて張設されており、該両ガイドワイヤ１５ａ，１５ａが、風により揺動することを抑制して設置されている。
【００３２】
前記外側パイプ１１は、更に、前記内側パイプ１０よりも外側に配設されている。すなわち、図１において、前記支柱６ａと、これより右側の支柱６ｂに固着され、かつ、前記内側パイプ１０よりも外側へ突出する長さのアーム１７ａを有し、更に、該アーム１７ａの先端にクランプ１７ｂを有する支持部材１７を用い、該クランプ１７ｂによって、前記外側パイプ１１を支持し、該外側パイプ１１が前記内側パイプ１０より外側に位置して水平姿勢に支持されている。
【００３３】
この外側パイプ１１は、前記内側パイプ１０と同様の長さに形成され、その両端部に、支柱６ａ，６ｂよりも左右方向へ突出する突出部１１ａを有している。
【００３４】
前記外側パイプ１１の両突出部１１ａにおいても、前記内側パイプ１０の突出部１０ａに固着したものと同様の支持部材１３，１３が固着され、その連結板１３ｂに他方のガイド部材であるガイドワイヤ（以下外側のガイドワイヤという）１５ｂ，１５ｂが垂設されている。なお、この外側のガイドワイヤ１５ｂの下端は、前記内側のガイドワイヤ１５ａと同様に支持されている。
【００３５】
したがって、各支柱６ａ，６ｂの両側に位置して両ガイドワイヤ１５ａ，１５ｂが平行して垂設されている。
【００３６】
前記の支持構成は、建物２の左右方向において交互に架設された、複数本の内側パイプ１０と外側パイプ１１においても同様であり、その結果、左右方向に隣接するパイプ１０，１１の両端部１０ａ，１１ａは相互に前後において重なる状態になり、外側のガイドワイヤ１５ｂは前記内側のガイドワイヤ１５ａよりも所定量、外側に位置して垂設される。すなわち、建物２の左右方向において複数垂設された内側及び外側のガイドワイヤ１５ａ，１５ｂが図４に示すような前後関係を構成している。
【００３７】
図１，２に示すように、前記仮設足場５における内側パイプ１０と外側パイプ１１の上部には、架台２０が仮設足場５の左右方向における全幅に設けられ、該架台２０には昇降駆動手段である一方のウインチ（以下内側ウインチという）２１ａと他方のウインチ（以下外側ウインチという）２１ｂが設置されている。該ウインチ２１ａ，２１ｂは、手動式或いは電動式のものを用いる。
【００３８】
前記内側ウインチ２１ａに巻設されたワイヤ２１ｃは、前記内側パイプ１０の下方に配置される支持パイプ２２ａに接続され、該支持パイプ２２ａを左右方向の水平姿勢に保持するとともに、昇降可能に支持している。
【００３９】
前記支持パイプ２２ａの軸方向の長さは、内側パイプ１０の両突出部１０ａに備えられた前記ガイドワイヤ１５ａ，１５ａ間に収まり、かつ、両端が両ガイドワイヤ１５ａ，１５ａに近接する長さに設定され、該支持パイプ２２ａには、図３に示すように、後述する一方の養生シート（以下内側養生シートという）２３ａを吊り下げる支持金具２４が支持パイプ２２ａの軸方向において所定間隔に配置されている。
【００４０】
前記内側養生シート２３ａは、建物の外壁塗装作業時等に用いられる周知の折曲可能な養生シートを用い、例えば、メッシュ素材が用いられ、その縦寸法は建物２の最上階から前記シート載置板１６までの全域を覆う長さに設定され、横寸法は前記支持パイプ２２ａと同様にガイドワイヤ１５ａ，１５ａ間に収まり、かつ、両側端が両ガイドワイヤ１５ａ，１５ａに近接する長さに設定されている。
【００４１】
該内側養生シート２３ａには、図３，４に示すように、その左右方向における両側端部であって、かつ、外側面（表面側）において、前記内側養生シート２３ａと同材で、上下方向に長い帯状の閉塞片２５ａ，２５ａが、内側養生シート２３ａの両側縁に沿って配置されているとともに、その基部１９ａが内側養生シート２３ａの側端に固着されている。したがって、閉塞片２５ａ，２５ａは内側養生シート２３ａの両側端から左右方向における中心に向って延びるように設けられ、かつ、その先端側は、内側養生シート２３ａと接続することなく自由端となっている。これにより閉塞片２５ａと内側養生シート２３ａの間には、前記先端側と上下側が開口する挿入部（隙間）Ｓが形成される。
【００４２】
なお、前記閉塞片２５ａは、内側養生シート２３ａ自体を左右方向へ延長し、この延長部を折返して、この折返した延長部で形成してもよい。
【００４３】
更に、該閉塞片２５ａ，２５ａは、その左右幅が、内側養生シート２３ａの端部から、その左右方向における中心に向って支柱６ａ，６ｂを越える位置まで達する幅で、上下方向に長い帯状に形成され、その閉塞片２５ａ，２５ａの先端部２６ａ，２６ａにおける内側面には、分離可能な接合手段２７ａを構成する磁石が、閉塞片２５ａ，２５ａの上下方向において所定の間隔で点在的に付設されている。
【００４４】
また、前記内側養生シート２３ａの周縁部には、複数の取付孔２８が所定の間隔で形成されており、左右側端部及び上端部の取付孔２８には、リング２９が挿通して備えられている。
【００４５】
そして、内側養生シート２３ａに備えた上端部のリング２９を、前記支持パイプ２２ａに備えられた支持金具２４に連結して、内側養生シート２３ａを支持パイプ２２ａで吊り下げ支持することにより、内側養生シート２３ａが仮設足場５の外側において建物２の左右方向に張設されている。
【００４６】
また、左右端部のリング２９は、前記の両ガイドワイヤ１５ａ，１５ａに上下移動可能に遊嵌し、内側養生シート２３ａが、両ガイドワイヤ１５ａ，１５ａに昇降可能に係合し、該ガイドワイヤ１５ａ，１５ｂに案内されて上下方向に移動可能に備えられている。なお、内側養生シート２３ａの下端縁は固定、自由端のいずれでもよい。
【００４７】
前記の構成により、内側養生シート２３ａは、ウインチ２１ａの巻上げ操作によって、ガイドワイヤ１５ａ，１５ａ間において上昇し、該内側養生シート２３ａを最上昇させた際には、建物２の最上階からシート載置板１６までを覆い、ウインチ２１ａの巻き下げ操作によって内側養生シート２３ａを最下降させた際には、前記シート載置板１６上に積重なるように載置される。
【００４８】
なお、内側養生シート２３ａがシート載置板１６に載置される場合、内側養生シート２３ａは取付孔２８及びリング２９の位置を節として屈曲しながら折り畳み重合されるが、前記閉塞片２５ａ，２５ａに設けられた接合手段２７ａである磁石を、この屈曲部より上下方向に離れた位置に配置することにより、内側養生シート２３ａの屈曲を妨げることはない。
【００４９】
次に他方の養生シート（以下外側養生シートという）２３ｂ側の構成を説明する。
前記外側用パイプ１１の下方には、前記支持パイプ２２ａと同長の支持パイプ２２ｂが前記両外側のガイドワイヤ１５ｂ，１５ｂ間において水平方向に配置され、該支持パイプ２２ｂは、前記外側ウインチ２１ｂのワイヤ２１ｄにより昇降可能に支持されている。
【００５０】
前記両外側のガイドワイヤ１５ｂ，１５ｂ間には外側養生シート２３ｂが配置され、その上端が前記支持パイプ２２ｂに支持されている。また、外側養生シート２３ｂは前記内側シート２３ａと同様な材料で、かつ、同形状に形成され、内側シート２３ａを表裏反転させた状態で設置されている。
【００５１】
なお、外側養生シート２３ｂの上端部と支持パイプ２２ｂとの連結構成及び外側養生シート２３ｂの左右側端と外側のガイドワイヤ１５ｂ，１５ｂとの連結構造は前記内側養生シート２３ａと同様である。そのため、前記と同様の部材には前記と同一符号を付してその説明は省略する。
【００５２】
この構成により、図４に示すように、内側養生シート２３ａの左右端部と、外側養生シート２３ｂの左右端部が相互に前後方向に若干の隙間Ｄ１を有し、左右方向において所定量重なり合う重合部Ｄ３が形成される。
【００５３】
また、外側養生シート２３ｂの左右端部にも前記の閉塞片２５ａと同様な材料で、かつ、同形状の帯状の閉塞片２５ｂが付設されており、該外側養生シート２３ｂが内側養生シート２３ａよりも外側において配置されるため、外側養生シート２３ｂの閉塞片２５ｂは、外側養生シート２３ｂの内側面（裏側面）において、その端部１９ｂから前記閉塞片２５ａと同様に折返すように設けられている。そして、該折返し側の先端部２６ｂは自由端となっている。
【００５４】
該閉塞片２５ｂのその他の構成は、前記閉塞片２５ａの構成と同様である。
なお、閉塞片２５ｂ側にも前記接合手段２７ａと対向する位置に接合手段２７ｂを構成する磁石が設けられている。
【００５５】
前記の構成により、複数の内側養生シート２３ａと複数の外側養生シート２３ｂは、図４に示すように左右方向に交互に配置され、前記一方の閉塞片２５ａ（２５ｂ）と、その自身の養生シートとの対向する面の間において形成される挿入部（隙間）Ｓに、他方の閉塞弁２５ｂ（２５ａ）の先端部２６ａ（２６ｂ）が挿入して両先端部２６ａ，２６ｄが重合し、その先端部２６ａ，２６ｂに設けられた接合手段２７ａ，２７ｂである磁石が互いに吸着することによって、前記閉塞片２５ａと閉塞片２５ｂが相互に接合状態で保持される。これにより、内側養生シート２３ａと外側養生シート２３ｂとの間に形成された隙間Ｄ１が閉塞される。
【００５６】
なお、前記接合手段２７ａ，２７ｂは、一方を磁石とし、他方を磁力で吸着する磁性体（金属）としてもよく、また、雄雌からなる面ファスナー、例えばマジックテープ（登録商標）としてもよい。なお、この接合手段２７ａ，２７ｂの吸着力は、一方の閉塞片２５ａ（２５ｂ）が昇降移動する際に、他方の閉塞片２５ｂ（２５ａ）が、共上がり、共下がりしない程度の弱い接着力とする。
【００５７】
次に、使用状態について説明する。
外壁工事の作業、例えば、仮設足場５での塗装作業時には、前記内側ウインチ２１ａと外側ウインチ２１ｂのワイヤ２１ｃ，２１ｄを巻上げして、内側養生シート２３ａと外側養生シート２３ｂをガイドワイヤ１５ａ，１５ｂを案内として屋上付近まで個々に上昇（図１の右から１つ目と３つ目の状態）させ、その上昇位置を適宜手段で固定する。例えば、ウインチ２１ａ，２１ｂの回転を固定したり、支持パイプ２２ａ，２２ｂを内側シート用パイプ１０と外側シート用パイプ１１に締結させて固定する。
【００５８】
この上昇時には、その閉塞片２５ａ（２５ｂ）が他方の閉塞片２５ｂ（２５ａ）の隙間Ｓ内を摺動して上昇する。
【００５９】
両養生シート２３ａ，２３ｂが所定位置まで上昇すると、前記閉塞片２５ａと閉塞片２５ｂは、その接合手段２７ａ，２７ｂにより部分的に接合される。これにより、隙間Ｄ１が閉塞され、養生シートの内側で飛散した塗料が隙間Ｄ１を通じて養生シートの外へ飛散することを防止できる。
【００６０】
また、その日の作業が終了した際、或いは工事の休日には、先ず、例えば、外側ウインチ２１ｂを巻き戻してワイヤ２１ｄを下げ、外側養生シート２３ｂをガイドワイヤ１５ｂ，１５ｂを案内として自重降下（図１の右から２つ目の状態）させて、シート載置板１６上に折り畳んで載置させる（図１の左側の状態）。
【００６１】
次に、内側ウインチ２１ａを巻き戻してワイヤ２１ｃを下げ、外側養生シート２３ａをガイドワイヤ１５ａ．１５ｂを案内として自重下降させる。
【００６２】
この時、前記接合手段２７ａ，２７ｂの接合は、外側養生シート２３ｂの下降により自動的に解除されることから、前記接合を外す手間は必要ない。
【００６３】
なお、前記昇降操作は隣接する複数個の内側養生シート２３ａと外側養生シート２３ｂを同時に行ってもよい。
【００６４】
以上の構成から、本実施例１によれば、仮設足場５の外面に備える内側養生シート２３ａと外側養生シート２３ｂをガイドワイヤ１５ａ，１５ｂ間に昇降可能に設けたことから、養生シートの開閉に際し、養生シートと支柱との結束や、その解除を各階毎に移動して行うものに比べて、その開閉作業が容易にでき、その手間が数倍省くことができる。
【００６５】
また、内側養生シート２３ａと外側養生シート２３ｂを開放させた際には、該内側養生シート２３ａと外側養生シート２３ｂの全体を建物２の下部、例えば図のシート載置板１６上に降ろすことができることから、前記従来のように、内側養生シート２３ａと外側養生シート２３ｂを支柱６に束ねておくものに比べて、非作業時の見栄えを良くし、かつ、日光の妨げを少なくすることができる。
【００６６】
更に、内側養生シート２３ａと外側養生シート２３ｂの開閉が個々に行えるので、建物２内の居住者の有無や要望により、簡単に内側養生シート２３ａ及び外側養生シート２３ｂ毎に上昇状態や下降状態にすることができる。
【００６７】
また、内側養生シート２３ａと外側養生シート２３ｂを上昇して塗装作業を行う際には、これらの間に形成された隙間Ｄ１に閉塞片２５ａ，２５ｂが存在することによって、この重合部での隙間が左右方向においてＺ状となり、養生シートの内側において飛散した塗料が、前記隙間Ｄ１を通じて外部に飛散することを高く抑制できる。
【００６８】
更に、接合手段２７ａ，２７ｂを設けて閉塞片２５ａ，２５ｂの相互を接合することにより、強い風で養生シートが煽られても両閉塞片の接合が維持され、塗装の外部への飛散を一層抑制することができる。
【００６９】
なお、図２乃至図４において、両養生シート間の隙間Ｄ１は、構成を分りやすくするために、誇張して実際よりは広く記載している。
【００７０】
また、前記実施例では、前記のワイヤ２１ｃ，２１ｄを昇降駆動手段であるウインチ２１ａ，２１ｂで昇降するようにしたが、ウインチを使用することなく、ワイヤ２１ｃ，２１ｄを作業者が手で直接持って昇降するようにしてもよい。
【実施例２】
【００７１】
前記実施例１の閉塞片２５ａ，２５ｂは、その閉塞片２５ａ（２５ｂ）と自身の養生シートと対向する面との間において形成される挿入部（隙間）Ｓに、他方の閉塞片２５ｂ（２５ａ）の先端部２６ａ（２６ｂ）を挿入したが、このように挿入することなく、一方の閉止片２５ａ（２５ｂ）における先端部２６ａ（２６ｂ）の外面側に他方の閉止片２５ｂ（２５ｂ）における先端部２６ｂ（２６ａ）の外面側を重合し、その先端部２６ａ，２６ｂに前記の接合手段２７ａ，２７ｂである磁石等を互いに合せるように設けてもよい。
【００７２】
本実施例２においても、内側養生シート２３ａと外側養生シート２３ｂとの間に形成された隙間Ｄ１における空気の流通を抑制でき、隙間Ｄ１を通じて外部に塗料が飛散することを抑制することができる。
【実施例３】
【００７３】
図５乃至図７は本発明の実施例３を示す。
本実施例３は、前記実施例１における隣接する養生シートの一方又は他方又は双方を複数個の分割養生シートで１セットして構成するとともに、この１セットの分割養生シートを同時に昇降させるようにしたものである。
【００７４】
図５に示すように、本実施例３では、隣接する左側養生シート３２ａと中央養生シート３２ｂと右側養生シート３２ｃを分割養生シートとし、これらで１セットとして、これを一方の養生シート（内側養生シート）３２とし、この１セットの養生シート３２を仮設足場５の外周部に配置させ、後述する他の１セットの外側養生シート３３を前記内側養生シート３２より外側に配置させて、これを交互に並置して構成している。
【００７５】
本実施例３のガイドワイヤ１５ａは、前記左側養生シート３２ａと右側養生シート３２ｃの外端部、すなわち、内側養生シート３２における左右端部において、前記実施例１と同様に設けれている。
【００７６】
また、左側養生シート３２ａと中央養生シート３２ｂとの間、更に中央養生シート３２ｂと右側養生シート３２ｃとの間については、支持パイプ１０の下方において支持金具３４を支柱６に固設して、この支持金具３４よりガイド部材であるガイドワイヤ３５を垂下させ、その下端をシート載置板１６等に固設する。
【００７７】
更に、実施例１の養生シート２３ａ，２３ｂにおける左右方向の寸法と比較して、前記左側養生シート３２ａは右端が短く、中央養生シート３２ｂは左右両端が短く、右側養生シート３２ｃは左端が短く形成されており、夫々の端部はガイドワイヤ３５を越えることなく両側に近接している。
【００７８】
図６に示すように、左側養生シート３２ａと中央養生シート３２ｂとの間は、前記１本のガイドワイヤ３５に、左側養生シート３２ａの右端に設けたリング３６ａと、中央養生シート３２ｂの左端に設けたリング３６ｂを摺動可能に嵌合させ、左側養生シート３２ａと中央養生シート３２ｂが同時に昇降可能となるように構成されている。
【００７９】
更に、左側養生シート３２ａの外面における右端部には、図６、図７に示すように、被覆片３７が、前記リング３６ａの挿通用の取付孔３８より左側から、中央養生シート３２ｂの左端の取付孔３８を乗越える幅で上下方向の帯状に形成され、その被覆片３７の左側端部３７ａは左側養生シート３２ａに固定され、右端部３７ｂは自由端になっている。この閉塞片３７における前記中央養生シート３２ｂの左端部３２ｅと重合する右端部３７ｂには固定手段となる長穴３９が上下方向に適宜間隔をおいて複数個形成されている。
【００８０】
そして、中央養生シート３２ｂの外面における左端部３２ｅには、取付孔３８より中央養生シート３２ｂの左右方向における内側において、前記長穴３９に嵌入する継手４０が上下方向に複数個設けられている。
【００８１】
該継手４０は、図７に示すように、Ｔ字状でその軸を中心として回転可能に備えられた止め具からなり、中央養生シート３２ｂの外面から外方向に向って突設し、該継手４０を前記長穴３９に嵌入したのち、軸を中心として回転させることによって、長穴３９からの脱落を阻止し、閉塞片３７を中央養生シート３２ｂの外面に連結できるようになっている。
【００８２】
なお、中央養生シート３２ｂと右側養生シート３２ｃとの間の構成も、前記左側養生シート３２ａと中央養生シート３２ｂとの間の構成と同様であり、更に、前記左側養生シート３２ａと該シートの左側の他方の養生シート３３との間の構成及び右側養生シート３２ｃの右側の外端部は、前記実施例１の構成と同様である。
【００８３】
また、前記他方の養生シート３３は、前記一方の養生シート３２と同様に３枚の分割養生シート３３ａ〜３３ｃで１セットとして構成され、その右側の養生シート３３ｃと中央養生シート３３ｂとの間の構成と、中央養生シート３３ｂと左側の養生シート３３ａとの間の構成は、前記一方の養生シート３２と同様である。
【００８４】
前記のように、１セットとして構成された一方の養生シートである内側養生シート３２は、図５に示すように、１つの手動ウインチ又は電動ウインチ（昇降駆動手段）４１によって昇降されるようになっている。すなわち、各養生シート３２ａ，３２ｂ，３２ｃの上部を前記実施例１と同様に支持パイプ２２ａで支持し、各支持パイプ２２ａに設けた各ワイヤ２１ｃを、仮設足場５の架台４２に設けられた第１プーリー４３及び、架台４２の側端に設けられた第２プーリー４４を通じて集合させ、この集合した１本のワイヤ４５を建物２の下方（地上）に設けた１個の手動ウインチ又は電動ウインチ４１に巻回している。これにより、１セットの内側養生シート３２を、一体的に１個の手動ウインチ又は電動ウインチ４１で同時に昇降可能になっている。
【００８５】
なお、他方の養生シートである外側養生シート３３についても、前記の一方の養生シート３２と同様に、ワイヤ２１ｃにより、他の手動ウインチ又は電動ウインチ（昇降駆動手段）４１で同時に昇降可能になっている。
【００８６】
なお、前記ワイヤ２１ｃを、前記実施例１と同様に作業者が手で直接昇降するようにしてもよい。
【００８７】
次に、使用状態について説明する。
本実施例３については、左側養生シート３２ａと中央養生シート３２ｂと右側養生シート３２ｃを、その被覆片３７をシート載置板１６上において接合し、これを１セットとして電動ウインチ４１の巻上げ操作により同時に上昇させる。また、電動ウインチ４１の巻き戻しにより、同時に下降することができる。このとき、内側養生シート３２と外側養生シート３３は前記実施例１と同様に摺動する。
【００８８】
また、他方の１セットの養生シート３３も、電動モータ４１により前記と同様に昇降させることができる。
【００８９】
その他の操作は実施例１及び２と同様である。
本実施例３によれば、一世帯の部屋数が多い棟等に有効であり、実施例１に比べて、一度に開閉する養生シートを広く設定することができる。
【００９０】
また、１セットの内側養生シート３２と１セットの外側養生シート３３との間においては、前記実施例１と同様に、塗料の飛散を防止することができる。
【００９１】
また、被覆片３７を設けたことにより、図７に示すような、支柱６の両側において並行に隣接配置された養生シート３２ａ、３２ｂ、３２ｃの間にできる隙間Ｄ２が、この被覆片３７で閉塞され、該隙間Ｄ２からの塗料の飛散を防止することができる。
【００９２】
なお、本実施例３は、一方の養生シート３２と他方の養生シート３３を夫々３枚（複数）の分割養生シートで構成したが、一方のみ又は他方のみ又は双方を複数の分割養生シートで上記のように構成してもよい。
【実施例４】
【００９３】
前記各実施例は、一方の養生シートである内側養生シート２３ａと他方の養生シートである外側養生シート２３ｂの重合部に閉塞片２５ａ，２５ｂを設けたが、この閉塞片２５ａ，２５ｂを設けることなく、内側養生シートの側端部と外側養生シートの側端部を重合するのみでもよい。その他の構成は前記実施例１と同様とする。
【００９４】
この構成によっても、仮設足場５で飛散した塗装が重合部を通じて外部へ飛散することを抑制することができる。
【実施例５】
【００９５】
図８は本発明の実施例５を示す。
本実施例５は、仮設足場を設けることなく、建物の外側で作業用ゴンドラを昇降して塗装等の作業を行う場合において、その作業用ゴンドラの外側に配設される養生シートに本発明を適用したものである。
【００９６】
図８において、建物２の外側に作業用ゴンドラの昇降用空間７０を設けて、その外側に前記実施例の養生シート２３ａ，２３ｂ、養生シート３２，３３及び前記各ガイドワイヤ１５ａ，１５ｂ等が配置されている。
【００９７】
前記作業用ゴンドラの昇降用空間７０には、作業用ゴンドラ７１が配置され、該作業用ゴンドラ７１は、建物２側に一端が固定されたワイヤ７２の他端側が作業用ゴンドラ７１に設けた昇降用のモータのプーリ（図示せず）に巻かれ、該昇降用のモータの正逆回転により、昇降するようになっており、周知の作業用ゴンドラである。
【００９８】
前記建物２の上部には、支持手段を構成するアーム９が建物２から、前記作業用ゴンドラの昇降用空間７０の上部を越えて外側へ突出して設けられており、該アーム９は前記実施例の支持部材１７に相当し、該アーム９の基端は取付部材７３により建物２に取外し可能に固定されている。該アーム９の先部には、前記実施例と同様に、すなわち、図８に示すように、内側パイプ１０、外側パイプ１１を有し、これらが支持手段Ｇを構成している。そして両パイプ１０，１１に、前記実施例と同様にガイドワイヤ１５ａ，１５ｂが垂設されている。したがって、建物２から外側へ突出した支持手段Ｇに、各ガイドワイヤ１５ａ，１５ｂが垂設されている。そして、前記の養生シート２３ａ，２３ｂ又は３２，３３が、前記実施例と同様にガイドワイヤ１５ａ，１５ｂに前記と同様に昇降可能に係合している。
【００９９】
前記両ガイドワイヤ１５ａ，１５ｂの下端側は、夫々、緊張器５０を介して前記載置台（ステージ）１６に連結されており、緊張器５０により両ガイドワイヤ１５ａ，１５ｂを強く張って該両ガイドワイヤ１５ａ，１５ｂが風により揺動することを抑制している。
【０１００】
また、前記各養生シート２３ａ，２３ｂ，３２，３３の昇降機構は次のように構成されている。
【０１０１】
各養生シート２３ａ，２３ｂ，３２，３３を支持する支持パイプ２２ａ，２２ｂに連結したワイヤ２１ｃ，２１ｄは、夫々、前記パイプ１０，１１に設けた支板５２に備えた金車（滑車）５１に掛けてその先を、前記載置台（ステージ）１６に設けた昇降駆動手段であるウインチ、例えば、電動ウインチ２１ａ，２１ｂに巻回してその先を収納部５４に自由に出入り可能に収められている。この各電動ウインチ２１ａ，２１ｂを作業者が操作することにより、各養生シートを個々に昇降できるようになっている。
【０１０２】
本実施例５は、前記実施例１〜４における仮設足場５を除いた構成であり、本実施例５の前記の構成以外の構成は、前記実施例と同様であり、各養生シート、隣接する養生シート間の重合部の構造、各養生シートとガイドワイヤとの関係等は前記実施例と同様であるため、その説明を省略する。
【０１０３】
本実施例５においては、作業用ゴンドラの昇降用空間７０の外側に、前記実施例の仮設足場以外の構造からなる前記の養生シート等を設けたので、作業用ゴンドラで塗装等を行う場合に、該作業用ゴンドラの外側に配置される養生シートにおいて、前記実施例と同様の作用、効果を発揮することができる。
【実施例６】
【０１０４】
前記各実施例においては、隣接する養生シートの側端部を相互に重合したが、本実施例は、前記重合部を設けることなく、建物の外側に、養生シートを建物の左右方向に配置するとともに、その養生シートの左右の側端部を、垂設したガイドワイヤに昇降可能に係合して、養生シートを昇降するようにしたものである。
【０１０５】
例えば、図５及び図７に示す養生シート３２ｃを、これに前記被覆片３７を設けない養生シートとし、その両側端部をガイドワイヤ１５ａ，３５に、前記のようにリングを介して昇降可能に係合して、１枚の養生シート３２ｃのみ昇降するようにしてもよい。
【０１０６】
また、図１及び図４に示す、両側端部に閉塞片２５ｂ（接合手段２７ｂは設けない）を有する１枚の養生シート２３ｂのみ用いて昇降させてもよい。
【０１０７】
また、図５及び図７に示すように、連結した複数の養生シート３２ｂ，３２ｃであって、かつ、養生シート３２ｂ側の被覆片３７を設けない養生シートを、ガイドワイヤ１５ａと、養生シート３２ｂ，３２ｃ間のガイドワイヤ３５と養生シート３２ｂの左側のガイドワイヤ３５にリングを介して昇降可能に係合して、複数の養生シートを同時に昇降するようにしてもよい。
【０１０８】
更に、該複数の養生シート３２ｂ，３２ｃを同時に昇降するものにおいて、その養生シートの右側端部と左側端部の内側（建物側）に、前記の閉塞片２５ａを設けてもよい。
【０１０９】
その他の構成及び構造は、前記各実施例と同様であるのでその説明を省略する。
本実施例６において、前記のように閉塞片２５ａ又は２５ｂを有する養生シートを用いた場合には、この養生シートの両側端部に、他の閉塞片を有しない通常の養生シートの側端部を重合させて、塗料等の外部への飛散を抑制することができる。
【符号の説明】
【０１１０】
２    建物
５    仮設足場
１５ａ，１５ｂ，３５  ガイド部材  
２１ａ，２１ｂ  昇降駆動手段
２３ａ，２３ｂ  養生シート
Ｄ３  重合部
２５ａ，２５ｂ  閉塞片
２６ａ，２６ｂ  先端部
２７ａ，２７ｂ  接合手段
３２，３３      １セットの養生シート
３７  被覆片
７１  作業用ゴンドラの昇降用空間
【図１】
2010159617.tif 000003
【図２】
2010159617.tif 000004
【図３】
2010159617.tif 000005
【図４】
2010159617.tif 000006
【図５】
2010159617.tif 000007
【図６】
2010159617.tif 000008
【図７】
2010159617.tif 000009
【図８】
2010159617.tif 000010